(57)【要約】【課題】一回あたりの吐出効率よりも、高速で振動する振動子の性質を利用して、吐出回数に重点を置き、吐出圧力の平準化を図る。【解決手段】シリンダー１、シリンダーキャップ２、逆流防止手段を有する吸入口３、逆流防止手段を有する吐出口４、振動子５、シリンダーの両端に装着された電磁石６を備え、両端の電磁石６に同一方向の交流電流を印加することにより、振動子５が高速で往復運動を開始して、振動子５の中空部にある非磁性球体の加速度方向も交互に反転し、振動子５が吸入口３に向かう時には、ピン状ストッパー側に移動して、流体をロート口より吐出口４側に導引し、振動子５が吐出口４に向かう時には非磁性球体がロート口を塞ぐことにより流体に吐出圧力をかける。ライナーに設けられた複数の溝によって、あえて完全なシールをおこなわず、一往復あたりの吐出効率よりも、高速な連続吐出を重視して、吐出圧力の平準化を図る。【選択図】  図１
2004183638.tif 000002
【特許請求の範囲】
【請求項１】
流体の強制貫流又は吸引、吐出を目的として、
逆流防止手段を有する吸入口と、
逆流防止手段を有する吐出口とを備えた非磁性材料によって製造されたシリンダーと、
前記シリンダーの内部に緩挿され、中空状の永久磁石内に逆流防止手段を有する振動子と、
前記振動子の外周に覆設して、シリンダーの内壁と直に摺動するライナーと、
前記シリンダーの両端に電磁石を備えることを特徴とする電磁振動ポンプ。
【請求項２】
請求項１記載の電磁振動ポンプであって、前記逆流防止手段を有する吸入口は、シリンダー側を全開口とし、他方をロート状の開口として、非磁性材による球体を緩挿し、シリンダー側の全開口部にはピン状ストッパーを設けることを特徴とする電磁振動ポンプ。
【請求項３】
請求項１記載の電磁振動ポンプであって、前記逆流防止手段を有する吐出口は、シリンダー側をロート状の開口部とし、他方を全開口として、非磁性材による球体を緩挿し、全開口部にはピン状ストッパーを設けることを特徴とする電磁振動ポンプ。
【請求項４】
請求項１記載の電磁振動ポンプであって、前記振動子は吸入口側にあってはロート状の断面を有し、他方にあっては全開口状の断面を有する中空状の永久磁石であって、中空部には非磁性材による球体を緩挿し、全開口部にはピン状ストッパーを設けることを特徴とする電磁振動ポンプ。
【請求項５】
請求項１記載の電磁振動ポンプであって、前記ライナーは摺動方向軸に平行な複数の溝を設けることを特徴とする電磁振動ポンプ。
【請求項６】
請求項１記載の電磁振動ポンプであって、前記ライナーを用いず振動子の外周に直接、摺動方向軸に平行な複数の溝を設けることを特徴とする電磁振動ポンプ。
【請求項７】
請求項１記載の電磁振動ポンプであって、前記電磁石は交流電流によって作動し、常時、同極が同一方向を向くよう装着することを特徴とする電磁振動ポンプ。
【発明の詳細な説明】
【０００１】
【発明の属する技術分野】
電磁振動ポンプに関する。
【０００２】
【従来の技術】
従来の電磁振動ポンプにおいては、振動子の一往復によって生ずる流体の吐出の効率に重点があり、吐出圧力に大きな脈動が生じている。
【０００３】
【発明が解決しようとする課題】
一回あたりの吐出効率よりも、高速で振動する振動子の性質を利用して、吐出回数に重点を置き、吐出圧力の平準化を図る。
【０００４】
【課題を解決するための手段】
請求項１記載の発明は、逆流防止手段を有する吸入口と、逆流防止手段を有する吐出口とを備えた非磁性材料によって製造されたシリンダーと、前記シリンダーの内部に緩挿され、中空状の永久磁石内に逆流防止手段を有する振動子と、前記振動子の外周に覆設して、シリンダーの内壁と直に摺動するライナーと、前記シリンダーの両端に電磁石を備えるよって構成される。
【０００５】
請求項２に記載の逆流防止手段を有する吸入口は、シリンダー側を全開口とし、他方をロート状の開口として、非磁性材による球体を緩挿し、シリンダー側の全開口部にはピン状ストッパーを設けるによって構成される。
【０００６】
請求項３に記載の逆流防止手段を有する吐出口は、シリンダー側をロート状の開口部とし、他方を全開口として、非磁性材による球体を緩挿して全開口部にはピン状ストッパーを設けるよう構成される。
【０００７】
請求項４に記載の振動子は吸入口側にあってはロート状の断面を有し、他方にあっては全開口状の断面を有する中空状の永久磁石であって、中空部には非磁性材による球体を緩挿し、全開口部にはピン状ストッパーを設けるよう構成される。
【０００８】
請求項５に記載のライナーは摺動方向軸に平行な複数の溝を設けるよう構成される。
【０００９】
請求項６に記載の発明は、前記ライナーを用いず振動子の外周に直接、摺動方向軸に平行な複数の溝を設けるよう構成される。
【００１０】
請求項７に記載の電磁石は交流電流によって作動し、常時、同極が同一方向を向くよう構成される。
【００１１】
【発明の実施の形態】
以下、本発明に実施の形態を図に基づいて説明する。
図１は本発明の実施の形態にかかる構成を示す断面図である。
本発明の実施の形態にかかる電磁振動ポンプはシリンダー１、シリンダーキャップ２、逆流防止手段を有する吸入口３、逆流防止手段を有する吐出口４、振動子５、シリンダーの両端に装着された電磁石６を備える。
【００１２】
上記のように構成されるので、両端の電磁石６に同一方向の交流電流を印加することにより、対面する磁極が反転し、永久磁石５−１によってなる振動子５が高速で往復運動を開始する。
【００１３】
往復運動によって、振動子５の中空部にある非磁性球体５−３の加速度方向も交互に反転し、振動子５が吸入口３に向かう時には、ピン状ストッパー５−４側に移動して、流体をロート口５−２より吐出口４側に導引し、振動子５が吐出口４に向かう時には非磁性球体５−３がロート口５−２を塞ぐことにより流体に吐出圧力をかける。
【００１４】
吸入工程及び吐出工程のいずれにおいても、ライナー５−５に設けられた複数の溝５−６によって、完全なシールをおこなわず、振動子５の高速な往復運動を妨げない。その際、複数の溝５−６部から漏出する流体の量Ａとロート口５−２から導引される流体の量Ｂは常にＡ＜Ｂであるように設定をおこなう。
【００１５】
図２は振動子５の分解図であって、振動子５は永久磁石５−１、非磁性球体５−３、ピン状ストッパー５−４、ライナー５−５を備える。
【００１６】
永久磁石５−１の断面の吸入口３側はロート状の断面とロート口５−２を有し、他方は全開口断面を有して中空状となっている。
【００１７】
前記中空部には非磁性球体５−３を換装し、開口部にはピン状ストッパー５−４を設け非磁性球体５−３の脱落を防止する。
【００１８】
ピン状ストッパー５−４を設けた後、図４に示すが如き複数の溝５−６を有する断面のライナー５−５を覆設する。また、ライナーを用いずに、直接振動子を構成する永久磁石５−１に図５に示すが如複数の溝５−６を設けても良い。
【００１９】
ライナー５−５は摩擦係数の小さな非磁性材料によって製造される。
【００２０】
図３は逆流防止手段を有する吸入口３及び吐出口４の分解図であって、吸入管３−１、吐出管４−１、ロート状ストッパー３−３、４−３、非磁性球体３−２、４−２、ピン状ストッパー３−４、４−４を備える。
【００２１】
振動子５の吸入工程、すなわちロート口５−２から流体を導引する場合においては、吸入口３の非磁性球体３−２は反転した加速度方向によってロート状ストッパー３−３側に移動して流体の逆流を阻み、吐出口４側においても非磁性球体４−２がロート状ストッパー４−３側に移動して流体の逆流を阻む。
【００２２】
振動子５の吐出工程、すなわち非磁性球体５−３がロート口５−２を反転した加速度方向によって塞いだ場合においては、吸入口３側の非磁性球体３−２はピン状ストッパー３−４側に移動して流体を導引し、吐出口４側においても非磁性球体４−２はピン状ストッパー４−４側に移動して流体を吐出する。
【００２３】
【発明の効果】
本発明は、以上説明したように構成されているので、以下に記載されるような効果を奏する。
【００２４】
高速で振動する振動子の往復運動を最大限に生かすために、あえて、振動子の周囲に流体漏出用の溝を設け、流体の吐出効率よりも高速かつ連続した吐出に重点を置くことにより吐出圧力の平準化を図ることができる。
【図面の簡単な説明】
【図１】請求項１による本電磁振動ポンプの全体構成の断面図である。
【図２】請求項２による振動子の分解断面図である。
【図３】請求項３及び請求項４による逆流防止手段の分解断面図である。
【図４】請求項５によるライナーの断面図である。
【図５】ライナーを用いずに直接、永久磁石に溝を設けた振動子の断面図である。
【符号の説明】
１  シリンダー
２  シリンダーキャップ
３  吸入口
３−１  吸入管
３−２  非磁性球体
３−３  ロート状ストッパー
３−４  ピン状ストッパー
４  吐出口
４−１  吐出管
４−２  非磁性球体
４−３  ロート状ストッパー
４−４  ピン状ストッパー
５  振動子
５−１  永久磁石
５−２  ロート口
５−３  非磁性球体
５−４  ピン状ストッパー
５−５  ライナー
５−６  （漏出用）溝
【図１】
2004183638.tif 000003
【図２】
2004183638.tif 000004
【図３】
2004183638.tif 000005
【図４】
2004183638.tif 000006
【図５】
2004183638.tif 000007